(57)【要約】【課題】  自由曲面形状の反射面を有する光学素子を用いる撮像装置において、撮影時に補助光を被写体に向けて照射できる撮像装置を提供する。【解決手段】  撮像装置２１は、自由曲面形状の反射面６２を有する第１プリズム４１と、自由曲面形状の反射面７２，７３を有する第２プリズム４２と、被写体像を電気信号に変換する撮像素子３１と、発光装置３２と、ケース３３などを備えている。発光装置３２は、第１プリズム４１の近傍に配置されたキセノン管９０と、反射板９２と、補正レンズ９５などを有している。キセノン管９０から出た光は第１プリズム４１に設けられた半透明の反射膜６４を透過して第１プリズム４１の内部に入り、第１プリズム４１の入射面６１から被写体に向けて照射される。【選択図】    図４
2007047292.tif 000002
【特許請求の範囲】
【請求項１】
被写体からの光束を入射する入射面と、被写体像を結像面に形成するための自由曲面形状の反射面と、前記結像面に向けて光束を射出する射出面とを有し、前記入射面の入射光軸と前記射出面の射出光軸とが前記結像面に沿う方向に離間した複数の光学素子を含む撮影光学系と、
前記結像面に配置され、前記撮影光学系により形成された被写体像を電気信号に変換する撮像素子と、
前記光学素子の近傍に配置された光源を有し該光源からの光を前記光学素子の一部を透過させて前記被写体に向けて照射する発光手段と、
前記撮影光学系と前記発光手段を覆うケースと、
を具備したことを特徴とする撮像装置。
【請求項２】
前記複数の光学素子が、前記入射面と１つの反射面を有する第１プリズムと、前記射出面と２つの反射面を有する第２プリズムであることを特徴とする請求項１に記載の撮像装置。
【請求項３】
前記第１プリズムの前記反射面に、該反射面の外側から照射された光を該プリズム内に入射可能な半透明な反射膜が設けられ、前記光源から出た光を前記反射膜を透過させて前記第１プリズムに入射させるとともに前記入射面から前記被写体に向けて射出することを特徴とする請求項２に記載の撮像装置。
【請求項４】
前記発光手段は、光源としてのキセノン管と、該キセノン管の発光のための昇圧回路と、前記キセノン管から出た光を前記光学素子に向けて反射する反射板とを含むことを特徴とする請求項１ないし３のうちいずれか１項に記載の撮像装置。
【請求項５】
前記昇圧回路は、前記キセノン管の発光のための電気エネルギーを蓄えるコンデンサを有し、該コンデンサが前記ケースの長手方向に沿う側面に配置されることを特徴とする請求項４に記載の撮像装置。
【請求項６】
前記発光手段は、前記光源から出た光の照射範囲を設定するための補正レンズを有していることを特徴とする請求項１ないし５のうちいずれか１項に記載の撮像装置。
【請求項７】
前記第１プリズムの一部でかつ前記入射面から外れた位置に、前記光源から出た光の照射範囲を設定するためのレンズ部が前記第１プリズムと一体に形成されていることを特徴とする請求項２に記載の撮像装置。
【請求項８】
前記レンズ部がフルネルレンズであることを特徴とする請求項７に記載の撮像装置。
【請求項９】
前記発光手段は、光源としてのキセノン管と、該キセノン管の発光のための昇圧トランスと、前記キセノン管から出た光を前記レンズ部に向けて反射する反射板とを含み、該反射板が前記昇圧トランスによって支持されることを特徴とする請求項７に記載の撮像装置。
【請求項１０】
前記発光手段の光源が発光ダイオードであることを特徴とする請求項１ないし３のいずれか１項に記載の撮像装置。
【請求項１１】
前記発光手段は、前記発光ダイオードから出た光の照射範囲を設定するための補正レンズと、前記発光ダイオードから出た光を前記光学素子に向けて反射する反射板と、を含むことを特徴とする請求項１０に記載の撮像装置。
【発明の詳細な説明】
【技術分野】
【０００１】
本発明は、デジタルカメラ、カメラ付携帯電話、携帯端末装置等に使用される撮像装置に係り、特に、反射面等に自由曲面を用いた光学素子を有する撮像装置に関する。
【背景技術】
【０００２】
最近のデジタルカメラやカメラ付携帯電話は、小型化、薄型化、高性能化が要求されてきている。これらの機器に共軸系の光学系を使用した撮像装置においては、撮像装置の大きさをコンパクトにしようとすると、レンズの枚数を少なくする必要がある。しかしレンズの枚数を少なくすると、光学系で発生する収差を小さく抑えることが困難になり、画質が低下する。また画質を良くしようとすると、レンズの枚数を多くする必要が発生し、この結果、撮像装置が大きくなるという問題が発生する。この問題に対応するための一手段として、偏心光学系を使用した撮像装置が提案されている。例えば、自由曲面等を有するプリズムを使用した撮影光学系を用いる撮像装置が下記の特許文献１〜３に記載されている。
【０００３】
これらの特許文献に記載されている技術の狙いは、プリズムを使用して撮影光学系を形成し、そのプリズムの光入射面や、光射出面、あるいは反射面に自由曲面を使用することによって、コンパクトでかつ画質の良い画像を得ることができる点である。これらの特許文献では、２個プリズム（第１プリズムと第２プリズム）を組合わせ、物体に近い方の第１プリズムの光入射面、反射面、光射出面と、撮像面に近い方の第２プリズムの光入射面、二つの反射面、光射出面等の全てに自由曲面を使用することが記載されている。
【０００４】
このような光学系の特徴としては、  
（１）３面ある反射面に光学的パワーを有する自由曲面を使用しているが、これらの反射面は従来の共軸光学系等のレンズを用いる屈折光学系と比較して、大きな光学的パワーを得ることができると同時に、色収差の影響を受けない。  
（２）前記（１）に記述した理由で光路長の大きい光学系を複数回折曲げることにより、コンパクトな空間内に多数の光学面を有することができる。したがって、限られた空間内に光学要素を凝縮して設定することができる。  
（３）光学性能を高めるには光学系全体の光路長をある程度大きくすることが望まれるが、前記プリズム光学系を採用することにより、従来の共軸光学系と比較して、光路を折曲げることによって光路長を大きくすることができるため、光学性能を高めることができるとともに、全体の大きさをコンパクトにすることができる。
【０００５】
以上の理由から、例えば特許文献１の撮像装置では、コンパクトでありながら、画質を高めることができる。  
なお、特開平７−３３３５０５号公報に記載されている光学系では、被写体側から順に、反射鏡、レンズによる光学系、反射鏡により構成されているが、このような構成に比べて特許文献２や特許文献３に記載されている光学系は、横幅を小さくすることができるため、よりコンパクトな撮像装置を提供することができる。  
また特許文献４，５に記載された携帯端末装置は、カメラモジュールと補助光源（フラッシュまたは発光ダイオード）を備えている。
【特許文献１】特開２００５−５５７５５公報
【特許文献２】特開２００２−１９６２４３公報
【特許文献３】特開２００３−８４２００公報
【特許文献４】特開２００４−２７１９８１公報
【特許文献５】特開２００４−１６４５５９公報
【発明の開示】
【発明が解決しようとする課題】
【０００６】
前記従来の撮像装置を小型、薄型のデジタルカメラ、カメラ付携帯電話、または携帯端末装置等に使用するために、２個のプリズム（第１プリズムと第２プリズム）を組合わせ、物体に近い方の第１プリズムの光入射面、反射面、光射出面と、撮像面に近い方の第２プリズムの光入射面、二つの反射面、光射出面等の全てに自由曲面を使用することが考えられる。
【０００７】
このようなコンパクトな撮影光学系を備えた撮像装置において、撮影シーンの多様化に伴い、補助光を使用することによって高画質な撮影を行うことが望まれている。例えば前記特許文献４，５の携帯端末装置では、補助光源を用いて撮影することができるようにしている。
【０００８】
しかし補助光源を備えた携帯端末装置等では、補助光源を撮像装置内にコンパクトに収めることができなければ、せっかく撮影光学系がコンパクトに構成されていたとしても、その長所を生かすことができない。言い換えると、よりコンパクトなカメラ付携帯電話や携帯端末装置を得るには、補助光源を撮影光学系の形状等に適した実装にすることが必要不可欠である。しかし前述したようなコンパクトな撮影光学系に補助光源を効率良く実装する手段について、具体的な提案がなされていないのが実情であった。
【０００９】
従って本発明の目的は、自由曲面形状の光学素子を有する撮像装置において、発光手段を効率良く組込むことができる撮像装置を提供することにある。
【課題を解決するための手段】
【００１０】
本発明は、被写体からの光束を入射する入射面と、被写体像を結像面に形成するための自由曲面形状の反射面と、前記結像面に向けて光束を射出する射出面とを有し、前記入射面の入射光軸と前記射出面の射出光軸とが前記結像面に沿う方向に離間した複数の光学素子を含む撮影光学系と、前記結像面に配置され、前記撮影光学系により形成された被写体像を電気信号に変換する撮像素子と、前記光学素子の近傍に配置された光源を有し該光源からの光を前記光学素子の一部を透過させて前記被写体に向けて照射する発光手段と、前記撮影光学系と前記発光手段を覆うケースとを具備している。
【００１１】
前記複数の光学素子は、例えば、前記入射面と１つの反射面を有する第１プリズムと、前記射出面と２つの反射面を有する第２プリズムである。  
本発明の一つの形態では、前記第１プリズムの前記反射面に、該反射面の外側から照射された光を該プリズム内に入射可能な半透明な反射膜が設けられ、前記光源から出た光を前記反射膜を透過させて前記第１プリズムに入射させるとともに前記入射面から前記被写体に向けて射出される。
【００１２】
前記発光手段の一例は、光源としてのキセノン管と、該キセノン管の発光のための昇圧回路と、前記キセノン管から出た光を前記光学素子に向けて反射する反射板とを含んでいる。前記昇圧回路は、前記キセノン管の発光のための電気エネルギーを蓄えるコンデンサを有し、該コンデンサが前記ケースの長手方向に沿う側面に配置される。  
また前記発光手段は、前記光源から出た光の照射範囲を設定するための補正レンズを有していてもよい。
【００１３】
本発明の他の形態では、前記第１プリズムの一部でかつ前記入射面から外れた位置に、前記光源から出た光の照射範囲を設定するためのレンズ部が前記第１プリズムと一体に形成されている。このレンズ部の一例はフルネルレンズである。
【００１４】
前記発光手段の他の形態は、光源としてのキセノン管と、該キセノン管の発光のための昇圧トランスと、前記キセノン管から出た光を前記レンズ部に向けて反射する反射板とを含み、該反射板が前記昇圧トランスによって支持されてもよい。
【００１５】
前記発光手段の他の例は、光源として発光ダイオードが採用される。この場合、発光ダイオードから出た光の照射範囲を設定するための補正レンズと、発光ダイオードから出た光を前記光学素子に向けて反射する反射板とを含んでいてもよい。
【発明の効果】
【００１６】
本発明によれば、自由曲面形状の反射面を有する光学素子と、この光学素子により形成された物体像を電気信号に変換する撮像素子とを有する撮像装置において、簡略化された構成の発光手段により、被写体に補助光を照射することができ、より優れた画質を得ることができる。
【発明を実施するための最良の形態】
【００１７】
以下に本発明の第１の実施形態について、図１から図８を参照して説明する。  
図１は撮像用機器の一例としてのカメラ付携帯電話１０の外観を示している。図２は、カメラ付携帯電話１０の内部を示す断面図である。このカメラ付携帯電話１０は、本体部１１と、本体部１１にヒンジ１２によって開閉可能に取付けられた表示ユニット１３とを備えている。
【００１８】
図２に示すように本体部１１は、外装１４に設けられたキートップ１５と、撮影時等に使用するレリーズボタン１６と、下記の「適用された記録媒体」としての記録部１７と、ＣＰＵ１８などを備えている。レリーズボタン１６はＣＰＵ１８に接続され、操作者がレリーズボタン１６を操作したときに、このカメラ付携帯電話１０による撮影が行われるようになっている。
【００１９】
図２に示すように表示ユニット１３は、外装２０の内部の所定位置に収容された撮像装置２１と、外装２０の一面側に配置された画像モニタ２２と、外装２０の他面側に配置された撮影光入射用のカバーガラス２３と、画像モニタ２２を駆動する液晶ドライブ回路２４などを備えている。画像モニタ２２は、操作者が撮影対象物を視認するためのファインダ機能と、撮影画像を操作者に表示する機能を有している。
【００２０】
図３は撮像装置２１の外観を示す斜視図、図４は撮像装置２１の内部を示す断面図である。この撮像装置２１は、以下に詳述する撮影光学系３０と、例えばＣＣＤ等を用いた撮像素子３１と、後述する発光装置３２と、撮影光学系３０および発光装置３２を収容するケース３３と、画像プロセス処理回路３４と、撮影基板３５などを含んでいる。ケース３３は、固定枠３６と遮光カバー３７とによって構成されている。固定枠３６と遮光カバー３７は、接着剤３８（図３〜図５に示す）等の固定手段によって互いに固定されている。
【００２１】
撮影光学系３０は、光学素子であるところの２個のプリズム（第１プリズム４１および第２プリズム４２）と、絞り開口部４３ａを有する保持部材４３などを含んでいる。第１プリズム４１および第２プリズム４２は、例えば接着剤などの固定手段（図示せず）によって、保持部材４３の絞り開口部４３ａを挟む両側に固定されている。
【００２２】
第１および第２のプリズム４１，４２は回転非対称な偏心光学系を構成し、その結像面４４に、物体像を電気信号に変換するためのセンサとしての前記撮像素子３１が配置されている。図４に示すように、遮光カバー３７の入射側の開口部である入射窓４５に、カバーガラス４６が装着されている。
【００２３】
固定枠３６の所定位置にプリント基板５０が取付けられている。このプリント基板５０には、光を通過する開口部５１が形成されている。このプリント基板５０に、前記撮像素子３１と、赤外線カットフィルタまたは防塵用カバーガラス等の光学部材５２が接合されている。プリント基板５０は、図示しない接着剤等によって、固定枠３６に固定されている。またこのプリント基板５０に、例えば異方性導電ゴムなどの導電部材５５を介して前記撮影基板３５が固着され、この撮影基板３５に前記画像プロセス処理回路３４が実装されている。
【００２４】
図４に示すように、第１プリズム４１は、回転非対称な偏心光学系の入射面６１と、回転非対称な反射面６２と、回転非対称な偏心光学系の射出面６３とを有する回転非対称な偏心光学系プリズムである。第１プリズム４１の入射面６１は、遮光カバー３７の入射窓４５に対向している。反射面６２には、いわゆるハーフミラーを形成するための半透明の反射膜６４が形成されている。
【００２５】
この第１プリズム４１は、撮影対象物から集光した光線を、回転非対称な偏心光学面である射出面６３より射出する。この第１プリズム４１は、絞り開口部４３ａを有する保持部材４３の絞り位置に光学瞳位置を有し、後述する第２プリズム４２の回転非対称な偏心光学系の入射面７１に光線を導く。
【００２６】
図４に示すように第２プリズム４２は、回転非対称な偏心光学系の入射面７１と、反射面７２と、反射面７３と、射出面７４とを有する偏心プリズムで構成されている。反射面７２と反射面７３のうち少なくとも一つは回転非対称な面であることにより、光学的に非常に高い性能（周辺性能、収差性能）を得ることができる。これら反射面７２，７３に、例えばアルミニウム蒸着等によるコーティング層７５，７６（図４に示す）が形成されている。
【００２７】
保持部材４３は、遮光カバー３７に固定される取付部８０を有している。この取付部８０を、例えば遮光カバー３７に形成された孔に挿入し、熱かしめ、あるいは接着剤などの固定手段によって、保持部材４３を遮光カバー３７の所定位置に固定するようになっている。この保持部材４３は、第２プリズム４２の射出面７４から出て撮像素子３１に向かう撮影対象物の物体像が、撮像素子３１の結像面４４に正しく結像するように、第１および第２プリズム４１，４２をケース３３の所定位置に保持する機能を担っている。
【００２８】
以上説明したように本実施形態の撮影光学系３０は、物体からの光束を入射して結像面４４に物体像を形成するためのものであって、２面以上の自由曲面形状の反射面６２，７２，７３を有している。しかも、物体からの光束を入射するための入射光学作用面の光軸（図４に示す入射光軸λ１）と、射出面７４から結像面４４に光束を射出するための射出光軸λ２とが略平行なプリズム光学系によって構成されている。射出光軸λ２は、撮像素子３１の受光面（結像面４４）に対して垂直である。入射光軸λ１と射出光軸λ２は、互いに撮像素子３１の結像面４４に沿う方向に離間している。
【００２９】
第２プリズム４２の射出面７４と対向して前記光学部材５２が配置されている。第２プリズム４２の射出面７４から出た光は光学部材５２を通って結像面４４にて結像する。この結像面４４に、前記撮像素子３１の受光面（すなわち結像面４４）が配置されている。
【００３０】
撮像素子３１によって得られる電気信号は、ＬＳＩを用いた処理手段としての画像プロセス処理回路３４に入力される。画像プロセス処理回路３４は、撮像装置２１に取付けられた撮影基板３５に実装されている。画像プロセス処理回路３４は、撮像素子３１によって得られる電気信号に所定の電気的プロセス処理（例えば色処理、ホワイトバランス、自動露光、出力信号フォーマット化など）を施すことにより、画像データを得る機能を担っている。
【００３１】
図２に示される記録部１７は、画像プロセス処理回路３４からの画像データを、適用された記録媒体に記録するための情報記録媒体の一手段として機能する。ここで「適用された記録媒体」とは、このカメラ付携帯電話１０に内蔵されたフラッシュメモリや、外部から挿脱可能なメモリカード等のことである。
【００３２】
この撮像装置２１は発光手段として機能する発光装置３２を備えている。図６は発光装置３２と第１プリズム４１の側面図、図７はその斜視図、図８は発光装置３２の分解斜視図である。発光装置３２は、第１プリズム４１の反射面６２の近傍に反射面６２に沿って配置された光源としてのキセノン管９０と、キセノン管９０の発光用の電源電圧を高める昇圧回路９１（図４に示す）と、キセノン管９０から出た光を第１プリズム４１の反射面６２に向けて反射する反射板９２と、キセノン管９０の両端に設けられた電極補助板９３（図８に示す）と、第１プリズム４１に固定されるフレーム部材９４と、補正レンズ９５などを備えている。
【００３３】
フレーム部材９４は、例えば合成樹脂等からなり、第１プリズム４１に固定される基部１００と、補正レンズ９５の両側面に沿って基部１００から反射板９２に向かって延出する一対の腕部１０１とを有している。基部１００は、接着等の固定手段によって、第１プリズム４１の反射面６２の周縁部（非光学機能面）に固定される。腕部１０１には、補正レンズ９５の両側面に形成された位置決め凸部１０２（図８に示す）に嵌合する溝１０３が形成されている。
【００３４】
図６に示されるように反射板９２は、キセノン管９０から出た光を反射し、その光を第１プリズム４１の反射面６２に設けられている半透明の反射膜６４を透過させ、さらに入射面６１に向かわせることができるように、前記フレーム部材９４に配置されている。例えば、反射板９２の上端部９２ａがフレーム部材９４の上部９４ａに接着等によって固定され、反射板９２の下端部９２ｂがフレーム部材９４の下部９４ｂに接着等によって固定される。
【００３５】
図４に示すように固定枠３６に発光回路基板１１０が配置されている。この発光回路基板１１０にリード線１１１を介して前記昇圧回路９１が接続されている。また発光回路基板１１０にリード線１１３（図７に示す）を介してキセノン管９０の電極１１４が接続されている。昇圧回路９１は、図３に示すコンデンサ１２０と、図４に示す昇圧トランス１２１などを含んでいる。昇圧トランス１２１は、ケース３３の内部において、撮影基板３５の延出部１２２に実装されている。
【００３６】
コンデンサ１２０は、キセノン管９０の発光のための電気エネルギーを蓄えるものであり、図３に示すようにケース３３の長手方向に沿う側面１３０に配置されている。図５はコンデンサ１２０をケース３３から取外した状態を示している。図５に示すように、ケース３３の側面１３０にコンデンサ１２０を支持するための取付け部１３１が形成され、両面接着テープ等の固定用の部材１３２によって、コンデンサ１２０をケース３３の長手方向に沿う側面１３０の所定位置に固定するようになっている。コンデンサ１２０に接続されたリード線１２３は、ケース３３に形成された孔１２４を通って、ケース３３の内部の昇圧回路９１に接続されている。
【００３７】
図６に示すように発光装置３２は、キセノン管９０から第１プリズム４１に向かう光の照射範囲を設定するための前記補正レンズ９５を有している。補正レンズ９５は例えば凸レンズ等からなり、図８に示すように、反射板９２に形成された孔１４０に挿入される凸部１４１を有している。これらの凸部１４１を反射板９２の孔１４０に挿入し、接着剤１４２（図６および図７に示す）を塗布することによって、補正レンズ９５が反射板９２とフレーム部材９４の所定位置に固定される。
【００３８】
以下に、上記第１の実施形態の撮像装置２１の作用について説明する。  
図４に示すように、入射光軸λ１に沿って入射窓４５から第１プリズム４１に入射した光束は、第１プリズム４１の反射面６２で反射し、射出面６３から第２プリズム４２の入射面７１に向かう。入射面７１に入射した光は、反射面７２，７３にて反射し、射出光軸λ２に沿って射出面７４から出て、光学部材５２を通り、撮像素子３１の受光面（結像面４４）にて結像する。ここでレリーズボタン１６を押すことにより、撮像素子３１の画像データが記録部１７に送られ、記録部１７のメモリに保存される。
【００３９】
撮影状況に応じて補助光が必要な場合に発光装置３２が使用される。発光装置３２が使用される場合、図示しない電池の電圧が昇圧回路９１によって昇圧され、コンデンサ１２０に蓄えられる。レリーズボタン１６を押すと、コンデンサ１２０に蓄えられていた高圧電流がキセノン管９０の電極１１４に供給され、キセノン管９０が発光する。キセノン管９０から出た光は、第１プリズム４１の反射面６２に設けられている半透明な反射膜６４を経て第１プリズム４１の内部に入射するとともに、第１プリズム４１の入射面６１から入射窓４５を経て、被写体に向って射出する。このため必要に応じて撮影の際の補助光として使用することができる。
【００４０】
図９から図１１は本発明の第２の実施形態に係る撮像装置２１Ａを示している。この撮像装置２１Ａの発光装置２００は、第１プリズム４１の一部に形成されたレンズ部２０１を備えている。レンズ部２０１の一例はフルネルレンズである。このレンズ部２０１は、第１プリズム４１の入射面６１（図１０に示す）から外れた位置にある。レンズ部２０１は第１プリズム４１と一体に形成されている。レンズ部２０１は、光源としてのキセノン管９０から出た光の照射範囲を設定するためのものである。第１プリズム４１の反射面６２には、入射面６１から入射した光を反射させるために、例えばアルミニウム蒸着等によるコーティング層６４´が形成されている。
【００４１】
この実施形態の発光装置２００（図１０と図１１に示す）は、光源としてのキセノン管９０と、キセノン管９０の発光のための昇圧トランス１２１を含む昇圧回路９１と、キセノン管９０から出た光を前記レンズ部２０１に向けて反射する反射板２０２とを含んでいる。この反射板２０２は反射板ケース２０３に収容されている。キセノン管９０から出た光の一部は反射板２０２によって反射され、レンズ部２０１を通って被写体に向かう。キセノン管９０から出た光の一部は直接レンズ部２０１を通って被写体に向かう。
【００４２】
図１１と図１２に示すように反射板２０２は、反射板ケース２０３を介して昇圧トランス１２１によって支持されている。反射板ケース２０３は接着剤２０４によって昇圧トランス１２１に固定されている。それ以外は第１の実施形態の撮像装置２１と同様に構成されているので説明は省略する。この実施形態では、発光装置２００のレンズ部２０１を第１プリズム４１と一体に形成したことにより、発光装置２００の構成を簡略化することができる。
【００４３】
図１２は本発明の第３の実施形態に係る撮像装置２１Ｂを示している。この撮像装置２１Ｂの発光装置２１０は、光源として発光ダイオード２１１が使われている。またこの撮像装置２１Ｂは、発光ダイオード２１１が発生する光の照射範囲を設定するための前記補正レンズ９５と、発光ダイオード２１１が発生する光を第１プリズム４１に向けて反射する前記反射板９２とを含んでいる。発光ダイオード２１１は発光回路基板２１２に接続されている。それ以外は第１の実施形態の撮像装置２１（図１〜図８）と同様に構成されているので説明は省略する。この実施形態では、発光装置２１０の光源に発光ダイオード２１１を用いることで、発光回路をさらに簡略化することができる。
【００４４】
以上説明した各実施形態をはじめとして、この発明を実施するに当たり、光学素子や撮像素子、発光手段、ケース等の発明の構成要素をこの発明の要旨を逸脱しない範囲で種々に変更して実施できることは言うまでもない。
【図面の簡単な説明】
【００４５】
【図１】本発明の第１の実施形態に係る撮像装置を備えたカメラ付携帯電話の斜視図。
【図２】図１に示されたカメラ付携帯電話の表示ユニットを少し開けた状態の断面図。
【図３】本発明の第１の実施形態の撮像装置を示す斜視図。
【図４】図３中のＦ４−Ｆ４線に沿う撮像装置の断面図。
【図５】図３に示された撮像装置からコンデンサを分離した状態で示す斜視図。
【図６】図４に示された第１プリズムと発光装置の側面図。
【図７】図４に示された第１プリズムと発光装置の斜視図。
【図８】図４に示された発光装置の分解斜視図。
【図９】本発明の第２の実施形態の撮像装置を示す斜視図。
【図１０】図９中のＦ１０−Ｆ１０線に沿う撮像装置の断面図。
【図１１】図１０に示された第１プリズムと発光装置の斜視図。
【図１２】本発明の第３の実施形態の撮像装置の断面図。
【符号の説明】
【００４６】
２１，２１Ａ，２１Ｂ…撮像装置
３０…撮影光学系
３１…撮像素子
３２…発光装置（発光手段）
４１…第１プリズム（光学素子）
４２…第２プリズム（光学素子）
４４…結像面
６１…入射面
６４…反射膜
７４…射出面
９０…キセノン管（光源）
９１…昇圧回路
９２…反射板
１２０…コンデンサ
２００…発光装置
２０１…レンズ部
２１０…発光装置
２１１…発光ダイオード（光源）
【図１】
2007047292.tif 000003
【図２】
2007047292.tif 000004
【図３】
2007047292.tif 000005
【図４】
2007047292.tif 000006
【図５】
2007047292.tif 000007
【図６】
2007047292.tif 000008
【図７】
2007047292.tif 000009
【図８】
2007047292.tif 000010
【図９】
2007047292.tif 000011
【図１０】
2007047292.tif 000012
【図１１】
2007047292.tif 000013
【図１２】
2007047292.tif 000014